(57)【特許請求の範囲】
【請求項１】
内部及び外側を有するハウジングと、
イメージ、テキスト及びビデオの少なくとも１つを示すように、前記ハウジングに取り付けられたディスプレイと、
前記ディスプレイに連結されたプロセッサと、
前記イメージ、テキスト及びビデオの少なくとも１つを記憶するための、前記プロセッサに連結されたストレージデバイスと、
前記ディスプレイに連結されたインターフェースデバイスと、
を備え、
前記インターフェースデバイスは、一次的なユーザである一次的な運転者から、当該一次的な運転者が車両の運転中に知覚した当該車両の問題に関する入力を取得するように構成されており、
前記ディスプレイは、前記一次的なユーザである一次的な運転者からの入力に基づいて一次的なイメージ、テキスト及びビデオの少なくとも１つを表示すると共に、二次的なユーザである二次的な運転者が当該一次的なイメージ、テキスト及びビデオの少なくとも１つを見ることを許容する、というように構成されており、
当該二次的なユーザである二次的な運転者は、前記一次的なユーザである一次的な運転者とは異なっており、
前記インターフェースデバイスは、前記二次的なユーザである二次的な運転者が当該一次的なイメージ、テキスト及びビデオの少なくとも１つを見ることを許容されている間、当該二次的なユーザである二次的な運転者から、当該二次的な運転者が同一の車両の運転中に知覚した同一の車両の問題に関する入力を取得するように構成されており、
前記ディスプレイは、前記二次的なユーザである二次的な運転者からの入力に基づいて前記一次的なイメージ、テキスト及びビデオの少なくとも１つを更新することによって生成される二次的なイメージ、テキスト及びビデオの少なくとも１つ表示すると共に、前記一次的なユーザである一次的な運転者が当該二次的なイメージ、テキスト及びビデオの少なくとも１つを見ることを許容する、というように構成されている
ことを特徴とするメッセージングアセンブリ。
【請求項２】
前記インターフェースデバイスは、前記ハウジングの外側に配置されている
ことを特徴とする請求項１に記載のメッセージングアセンブリ。
【請求項３】
前記インターフェースデバイスは、タッチスクリーン及びカメラを包含する
ことを特徴とする請求項１または２に記載のメッセージングアセンブリ。
【請求項４】
前記ディスプレイは、低電力双安定タイプのものである
ことを特徴とする請求項１乃至３のいずれかに記載のメッセージングアセンブリ。
【請求項５】
前記コミュニケータは、ポータブル電子デバイスと通信するための、前記ディスプレイに接続されたＷｉＦｉトランシーバを含む
ことを特徴とする請求項１乃至５のいずれかに記載のメッセージングアセンブリ。
【請求項６】
前記コミュニケータは、ポータブル電子デバイスと通信するための、前記ディスプレイに接続されたＢｌｕｅｔｏｏｔｈトランシーバを含む
ことを特徴とする請求項１乃至６のいずれかに記載のメッセージングアセンブリ。
【請求項７】
前記コミュニケータは、ポータブル電子デバイスと通信するための、前記ディスプレイに接続されたＮＦＣトランシーバを含む
ことを特徴とする請求項１乃至７のいずれかに記載のメッセージングアセンブリ。
【請求項８】
前記コミュニケータは、ポータブル電子デバイスと通信するための、前記ディスプレイに接続された内蔵モデムを含む
ことを特徴とする請求項１乃至８のいずれかに記載のメッセージングアセンブリ。
【請求項９】
内部及び外側を有するハウジングと、
イメージ、テキスト及びビデオの少なくとも１つを示すように、前記ハウジングに取り付けられたディスプレイと、
前記ディスプレイに連結されたプロセッサと、
前記イメージ、テキスト及びビデオの少なくとも１つを記憶するための、前記プロセッサに連結されたストレージデバイスと、
前記ディスプレイに連結されたインターフェースデバイスと、
を備えたメッセージングアセンブリの動作方法であって、
前記インタフェースデバイスによって、一次的なユーザである一次的な運転者から、当該一次的な運転者が車両の運転中に知覚した当該車両の問題に関する入力を取得するステップと、
前記ディスプレイ上に、前記一次的なユーザである一次的な運転者からの入力に基づいて一次的なイメージ、テキスト及びビデオの少なくとも１つを表示すると共に、二次的なユーザである二次的な運転者が当該一次的なイメージ、テキスト及びビデオの少なくとも１つを見ることを許容する、というステップと、
前記インターフェースデバイスによって、前記二次的なユーザである二次的な運転者が当該一次的なイメージ、テキスト及びビデオの少なくとも１つを見ることを許容されている間、当該二次的なユーザである二次的な運転者から、当該二次的な運転者が同一の車両の運転中に知覚した同一の車両の問題に関する入力を取得するステップと、
前記ディスプレイ上に、前記二次的なユーザである二次的な運転者からの入力に基づいて前記一次的なイメージ、テキスト及びビデオの少なくとも１つを更新することによって生成される二次的なイメージ、テキスト及びビデオの少なくとも１つ表示すると共に、前記一次的なユーザである一次的な運転者が当該二次的なイメージ、テキスト及びビデオの少なくとも１つを見ることを許容する、というステップと、
を備え、
前記二次的なユーザである二次的な運転者は、前記一次的なユーザである一次的な運転者とは異なっている
ことを特徴とする方法。
【請求項１０】
前記一次的なイメージ、テキスト及びビデオの少なくとも１つは、前記車両の特徴のリスト及び利用可能なカーシェアリング時間帯と、前記二次的なユーザが追加の情報を得ることができるリンク及びＱＲコードのいずれかと、を更に含んでいる
ことを特徴とする請求項９に記載の方法。
【請求項１１】
前記一次的なイメージ、テキスト及びビデオの少なくとも１つは、当該一次的なイメージ、テキスト及びビデオの少なくとも１つについて検索するためのコマンド入力のオプションを更に含んでいる
ことを特徴とする請求項９または１０に記載の方法。
【請求項１２】
前記一次的なイメージ、テキスト及びビデオの少なくとも１つは、メッセージを記録するためのコマンド入力のオプションを更に含んでいる
ことを特徴とする請求項９乃至１１のいずれかに記載の方法。
【請求項１３】
前記一次的なイメージ、テキスト及びビデオの少なくとも１つは、広告を表示するものを更に含んでいる
ことを特徴とする請求項９乃至１２のいずれかに記載の方法。
【請求項１４】
前記一次的なイメージ、テキスト及びビデオの少なくとも１つは、スポーツチームに関連するスポーツチームのロゴまたはテキストのいずれかを表示するものを更に含んでいる
ことを特徴とする請求項９乃至１３のいずれかに記載の方法。
【請求項１５】
前記一次的なイメージ、テキスト及びビデオの少なくとも１つは、自動車ナンバープレート番号及び車両登録情報を表示するものを更に含んでいる
ことを特徴とする請求項９乃至１４のいずれかに記載の方法。
【請求項１６】
カレンダーイベントに応答して前記ディスプレイを更新するステップ
を更に備えたことを特徴とする請求項９乃至１５のいずれかに記載の方法。
【請求項１７】
前記ディスプレイに近接しているＮＦＣトランシーバを使用して、ポータブル電子デバイスに応答して、既定のイメージ、既定のテキスト及び既定のビデオのいずれかを当該ディスプレイに示すステップ
を更に備えたことを特徴とする請求項９乃至１６のいずれかに記載の方法。
【発明の詳細な説明】
【技術分野】
【０００１】
再構成可能なメッセージングアセンブリは、さまざまなイメージ、テキストまたはビデオを表示するように構造体に取り付けることができる。一実施例では、アセンブリは、内部及び外側を有するハウジングを含む。ディスプレイが、イメージ、テキストまたはビデオを表示するためにハウジングに取り付けられる。アセンブリは、インターフェースデバイスも含む。
【発明の概要】
【発明が解決しようとする課題】
【０００２】
再構成可能なメッセージングアセンブリの動作方法も、主なユーザと相互作用するステップを含むように開示されている。これらの方法は、イメージ、テキストまたはビデオを再構成可能なメッセージングアセンブリに転送し、イメージ、テキストまたはビデオを記憶することによって継続する。これらの方法は、イメージ、テキストまたはビデオを処理するステップ、テキスト、イメージまたはビデオをディスプレイに表示するステップ、をも含む。しかしながら、そのようなアセンブリは、主なユーザではないユーザとの相互作用を十分にサポートしない。
【課題を解決するための手段】
【０００３】
開示される再構成可能なメッセージングアセンブリは、二次的なユーザとの相互作用を提供する。インターフェースデバイスが、ハウジングの外側に配置され、主なユーザ及び二次的なユーザと相互作用するためのディスプレイに接続される。
【０００４】
それ故に、開示される再構成可能なメッセージングアセンブリの一つ以上の態様のいくつかの利点は、主なユーザではないユーザがディスプレイとの相互作用を所望し得るさまざまな状況において、二次的なユーザとの相互作用を提供することにある。
【０００５】
他の利点は、以下の添付図面と関連して考慮され、以下の詳細な説明を参照することによってよりよく理解されるにつれて、容易に認識される。
【図面の簡単な説明】
【０００６】
【図１】再構成可能なメッセージングアセンブリの一実施形態のブロック図である。
【図２】車両の外側に据え付けられた再構成可能なメッセージングアセンブリの一実施形態の斜視図である。
【図３】車両の内部に据え付けられた再構成可能なメッセージングアセンブリの一実施形態の斜視図である。
【図４】再構成可能なメッセージングアセンブリの一実施形態のディスプレイの実施例の内容を例証する。
【図５】再構成可能なメッセージングアセンブリの一実施形態のディスプレイの実施例の内容を例証する。
【図６】車両の外側に据え付けられた再構成可能なメッセージングアセンブリの一実施形態の斜視図である。
【図７】再構成可能なメッセージングアセンブリの一実施形態の動作ステップを例証するフローチャートである。
【図８】再構成可能なメッセージングアセンブリの一実施形態の動作ステップを例証するフローチャートである。
【図９】再構成可能なメッセージングアセンブリの一実施形態の動作ステップを例証するフローチャートである。
【図１０】再構成可能なメッセージングアセンブリの一実施形態の動作ステップを例証するフローチャートである。
【発明を実施するための形態】
【０００７】
現在利用可能な再構成可能なメッセージングアセンブリ２０は、主なユーザとの相互作用に加えて二次的なユーザとの相互作用をも可能とするような解決策を提供できていない。主なユーザとは、例えば、車両の所有者であり、二次的なユーザとは、再構成可能なメッセージングアセンブリ２０との相互作用を選択する（望む）任意の誰か（例えば、別の運転者）であり得る。より詳しくは、現在のアセンブリでは、主なユーザは、再構成可能なアセンブリに転送またはそれと通信し、表示されるべき一つ以上のイメージ、テキストまたはビデオを選択することができる。二次的なユーザは、主なユーザによって選択されたイメージ、テキストまたはビデオを見ることはできるが、何らかの入力を提供する、または表示されているイメージ、テキストもしくはビデオのいずれかを変更する能力は有さない。二次的なユーザが再構成可能なメッセージングアセンブリ２０と相互作用することが有用であろう多くの事例がある。
【０００８】
一実施例として、車両所有者（すなわち、一次的なユーザ（主なユーザ））は、友人または家族（すなわち、二次的なユーザ）に、それらの車両を使用させることができる。車両の運転中、二次的なユーザは、車両が左側に引き寄せられ始めたことを知覚する場合がある。現在利用可能な再構成可能なメッセージングアセンブリ２０では、二次的なユーザは、車両の他のユーザや主なユーザ（一次的なユーザ）にその問題を知らせるべく、再構成可能なメッセージングアセンブリ２０と相互作用することができない。
【０００９】
図面を参照すれば、いくつかの図面を通じて同様の数字が対応する部分を指し示しており、再構成可能なメッセージングアセンブリは概して２０で示されている。ある実施形態の再構成可能なメッセージングアセンブリ２０は、内部及び外側を有し、概略的に図示されたハウジング２２を含む。再構成可能なアセンブリは、イメージ、テキスト及びビデオのいずれかを示すためにハウジング２２に取り付けられたディスプレイ２４も含む。図１に最もよく示されるように、インターフェースデバイス２６、２８、プロセッサ３０、コミュニケータ３２、及びストレージデバイス３４が、ディスプレイ２４に連結されている。インターフェースデバイス２６、２８によって、主なユーザ及び二次的なユーザは、アセンブリと相互作用することができる。動作中、第一のステップは、主なユーザと相互作用するステップ３６である。より具体的には、これは、イメージ、テキストまたはビデオを再構成可能なメッセージングアセンブリに転送するステップ３８によって達成される。次に、ステップ４０において、イメージ、テキストまたはビデオを記憶し、ステップ４２において、イメージ、テキストまたはビデオを処理する。その後、ステップ４４において、再構成可能なメッセージングアセンブリ２０を使用して、イメージ、テキストまたはビデオを表示し、ステップ４６において、二次的なユーザと相互作用する。
【００１０】
ディスプレイ２４は、ある実施形態（図２）ではハウジング２２の外側に配置される。ただし、これはハウジング２２の内部に配置されてもよい（図３）。ある実施形態では、ハウジング２２は、車両である。しかしながら、ハウジング２２が、それらに限定されないが、建物または航空機などの多くの他のタイプのものであってもよいことが認識されるはずである。ディスプレイ２４は、電力を少量だけ消費し、追加的に双安定である（すなわち、ディスプレイ２４が、電力消失後もイメージまたはテキストを示し続けることができる）タイプが好ましい。ある実施形態では、ディスプレイ２４は、低電力双安定ディスプレイ２４の形態をとる。しかしながら、これらに限定されないが、液晶ディスプレイ２４（ＬＣＤ）または有機発光ダイオード（ＯＬＥＤ）ディスプレイ２４などの他のタイプのディスプレイ２４も使用できることが認識されるはずである
【００１１】
プロセッサ３０は、ある実施形態では、ディスプレイ２４に直接接続される。しかしながら、プロセッサ３０を、無線でまたは有線接続を通じてディスプレイ２４に接続される両内の別個のモジュール内または電子デバイス内に実際に配置できることが認識されるはずである。ストレージデバイス３４も、イメージ、テキスト及びビデオを記憶するために、プロセッサ３０に連結される。ストレージデバイス３４は、プロセッサ３０と同様に、ディスプレイ２４に直接接続することができる。ただし、その代わりに、無線でまたは有線接続を通じてディスプレイ２４に接続される車両内の別個のモジュール内または電子デバイス内に配置されてもよい。
【００１２】
コミュニケータ３２が、ポータブル電子デバイスと通信するために、プロセッサ３０及びディスプレイ２４に接続されている。そのようなポータブル電子デバイスの実施例は、それらに限定されないが、携帯電話及びラップトップコンピュータを含む。ある実施形態では、コミュニケータ３２は、ポータブル電子デバイスと通信するために、ディスプレイ２４に各々が接続された、ＷｉＦｉトランシーバ、Ｂｌｕｅｔｏｏｔｈ（登録商標）トランシーバ及び近距離無線通信（ＮＦＣ）トランシーバを含む。近距離無線通信では、ディスプレイ２４に近接しているＮＦＣを使用して、ポータブル電子デバイスに応答して、ディスプレイ２４に既定のイメージ、テキストまたはビデオを表示することもできる。コミュニケータ３２は、ディスプレイ２４に接続された内蔵モデムも含み、これはポータブル電子デバイスと通信するためにも使用される。内蔵モデムによって、ユーザは、これらに限定されないが、テキストメッセージなどのさまざまなコマンド及びメッセージをディスプレイ２４に送信することができる。他のタイプの有線または無線の通信ハードウェア及びソフトウェアも、コミュニケータ３２に組み込むことができる。
【００１３】
インターフェースデバイス２６、２８が、主なユーザ及び二次的なユーザとの相互作用のために、ディスプレイ２４に連結されている。主なユーザ及び二次的なユーザは、再構成可能なメッセージングアセンブリ２０と相互作用するときに、車両にごく接近してもよいし、しなくてもよい。インターフェースデバイス２６、２８は、ストレージデバイス３４に記憶されてディスプレイ２４に表示されるイメージ、テキスト及びビデオを取得するために、ある実施形態では、プロセッサ３０にも連結されている。インターフェースデバイス２６、２８は、主なユーザ及び二次的なユーザと相互作用するために、コミュニケータ３２に動作可能に接続されている。ある実施形態では、インターフェースデバイス２６、２８は、共に車両の外側に配置されたカメラ２６及びタッチスクリーン２８を包含する（図２）。しかしながら、インターフェースデバイス２６、２８が、代替的または追加的に、パーソナル電子デバイス、またはこれらに限定されないが、キーボード、マウス、スタイラスもしくはジョイスティックなどのいくつかの他のタイプの入力デバイスを包含できることが理解されるはずである。
【００１４】
図７のフローチャートに例証するように、再構成可能なメッセージングアセンブリ２０の動作方法も開示される。この方法では、主なユーザ及び二次的なユーザは、再構成可能なメッセージングアセンブリ２０を使用してイメージ、テキストまたはビデオを示すことができる。この方法は、主なユーザと相互作用するステップ３６を含む。次に、ステップ３８において、イメージ、テキストまたはビデオを再構成可能なメッセージングアセンブリに転送する。この方法は、イメージ、テキストまたはビデオを記憶するステップ４０、そしてイメージ、テキストまたはビデオを処理するステップ４２に続く。この方法は、イメージ、テキストまたはビデオをディスプレイに表示するステップ４４を含む。この方法は、二次的なユーザと相互作用するステップ４６をさらに含む。
【００１５】
再構成可能なメッセージングアセンブリ２０は、ディスプレイ２４を、これらに限定されないが、広告の表示、好みのスポーツチームに関連するロゴまたはテキストの表示（図２）、及び政治的メッセージの表示などに使用することができる。一実施形態では、具体的なカレンダーイベントに応答してディスプレイを更新する方法ステップ４８が含まれる。具体的なカレンダーイベントは、これに限定されないが、シーズンの移行などのイベント（すなわち、野球シーズン期間の野球チームのロゴ及びフットボールシーズン期間のフットボールチームのロゴへの自動的な切り替え）を含むことができる。別の実施形態は、通常では自動車ナンバープレートにスタンプまたはプリントされる自動車ナンバープレート番号及び車両登録情報（図６）をディスプレイ２４が示すことにより、スタンプまたはプリントされた自動車ナンバープレートの代わりとして、自動車ナンバープレート番号及び車両登録情報を表示するようにディスプレイ２４を使用できる方法ステップ５０を含む。さらに、この方法は、車両の特徴集合、さらには、見込み購買者がさらなる情報を得るためのＱＲコード（登録商標）または他の手段を示すために、車の販売代理店がディスプレイ２４を使用することもできる。
【００１６】
図８のフローチャートに例証される別の実施例によって、再構成可能なメッセージングアセンブリを、カーシェアリングサービスに使用することができる。故に、再構成可能なメッセージングアセンブリ２０の一実施形態は、車両の特徴のリストまたは利用可能なカーシェアリング時間帯をディスプレイに表示するステップ５２として（図５）、二次的なユーザと相互作用するステップ４６をさらに特徴づける動作方法を含む。次に、ステップ５４において、二次的なユーザが追加の情報を得ることができるリンクアドレスまたはＱＲコード（登録商標）をディスプレイに表示する。この方法は、インターフェースデバイスを使用して二次的なユーザからの入力を得るステップ５６、そしてコミュニケータを使用して二次的なユーザと通信するステップ５８によって続く。次のステップは、プロセッサを使用して、二次的なユーザから受信した入力を処理するステップ６０、そして二次的なユーザからの入力をストレージデバイスに記憶するステップ６２である。この実施形態の方法は、二次的なユーザによる、受信された入力に応答してディスプレイを更新するステップ６４で終了する。例えば、二次的なユーザが、インターフェースデバイス２６、２８を通じて、またはコミュニケータ３２を通じてディスプレイ２４に無線で接続されたポータブル電子デバイスを通じて、特定の時間のために車両を予約したいことを示す場合には、受信した入力が処理され、その後、ディスプレイ２４がそれに応じて更新される（例えば、利用可能な時間帯のリストから選ばれた時間帯を除去する）ことができる。
【００１７】
再構成可能なメッセージングアセンブリ２０の動作のなおも別の実施例では、図９のフローチャートに例証されるように、二次的なユーザは、アセンブリを動作させて、イメージ、テキストまたはビデオメッセージを記録できる。これにより、二次的なユーザは、例えば、二次的なユーザが車両の駐車中に不慮にも車両を損壊した場合の連絡先及び保険情報、または、何らかの他の目的のためのメッセージ（例えば、販売中の車両についての質問）を残すことができる。再構成可能なメッセージングアセンブリ２０の別の実施形態は、イメージ、テキストまたはビデオを取得するためのコマンド入力のオプションをディスプレイにおいて二次的なユーザに表示するステップ６６として、二次的なユーザと相互作用するステップ４６をさらに特徴づける動作方法を含む。次に、この方法は、インターフェースデバイスを使用して二次的なユーザからの入力を得るステップ５６、そしてプロセッサを使用して、二次的なユーザから受信した入力を処理するステップ６０を含む。この方法は、その後、カメラを使用してイメージ、テキストまたはビデオを取得するステップ６８を含む。この実施形態の方法は、イメージ、テキストまたはビデオをストレージデバイスに記憶するステップ７０、そして二次的なユーザによる受信された入力に応答して、及び二次的なユーザによって送信されたイメージ、テキストまたはビデオに応答してディスプレイの内容を更新するステップ７２で終了する。例えば、ディスプレイ２４は、二次的なユーザが残したいメッセージを首尾よく記録及び記憶したことの何らかの指標（しるし）を示すことができる
【００１８】
再構成可能なメッセージングアセンブリの動作の追加の実施例では、図１０のフローチャートに例証されるように、主なユーザまたは二次的なユーザは、アセンブリを動作させて、パーソナル電子デバイスを使用して、記録されたイメージ、テキストまたはビデオメッセージをディスプレイ２４に転送できる。これにより、二次的なユーザは、例えば、質問及び連絡先情報、または車両について何か知覚したこと（例えば、車両のいずれかのタイヤ内の空気が減少していること）を伝えるメッセージを残すことができる。主なユーザも、車両についての質問に答えるための、または何らかの他の目的のためのイメージ、テキストもしくはビデオメッセージを残すことができる。故に、再構成可能なメッセージングディスプレイ２４の別の実施形態は、メッセージを記録するためのコマンド入力のオプションをディスプレイにおいて主なユーザまたは二次的なユーザに表示するステップ７４をさらに含む動作方法を含む。この方法の次のステップは、インターフェースデバイスを使用して主なユーザまたは二次的なユーザからの入力を得るステップ７６である。この方法は、プロセッサを使用して、主なユーザまたは二次的なユーザから受信した入力を処理するステップ７８、そしてコミュニケータを使用して主なユーザまたは二次的なユーザと通信するステップ８０に続く。この実施形態の方法は、主なユーザまたは二次的なユーザによって記録されたイメージ、テキストまたはビデオをストレージデバイスに記憶するステップ８２、そして主なユーザまたは二次的なユーザによる、受信された入力及びイメージ、テキストまたはビデオに応答してディスプレイを更新するステップ８４で終了する。
【００１９】
当然ながら、前の教示を考慮して多くの変更及び変化が可能であり、添付の特許請求の範囲内であれば、具体的に記述されたものとは異なるように実施できる。これらの先行する記載は、発明の新規性がその有用性を発揮する任意の組み合わせを含むように解釈されるべきである。装置クレームにおける「前記」という用語の使用が、特許請求の範囲に含まれることが意図される肯定的な引用である先行詞を指すのに対して、「該」という用語は、特許請求の範囲内に含まれることが意図されない用語に先行する。さらに、特許請求の範囲における参照数字は、単に便宜上のものであり、いかなる態様でも限定として読まれるべきでない。
【図１】
0006348474.tif 000002
【図２】
0006348474.tif 000003
【図３】
0006348474.tif 000004
【図４】
0006348474.tif 000005
【図５】
0006348474.tif 000006
【図６】
0006348474.tif 000007
【図７】
0006348474.tif 000008
【図８】
0006348474.tif 000009
【図９】
0006348474.tif 000010
【図１０】
0006348474.tif 000011